(57)【要約】【課題】本発明は、水中撮影モードを設定可能な撮影装置に於いて、水中以外の使用環境に於ける使い勝手を低下させないようにした撮影装置を提供することである。【解決手段】水中撮影モードを含む複数の撮影モードを選択的に設定可能カメラ１０に於いて、カメラ１０に水中ハウジング２１が装着されているか否かが、ハウジング側凸部２７と検出釦１７によって検出される。そして、収納検知回路４０及びシステム制御回路３４によって、カメラ１０が水中ハウジングに収納されていると判定された場合には、水中撮影モードの選択が可能となる。【選択図】      図３
2006194984.tif 000002
【特許請求の範囲】
【請求項１】
水中ハウジングに収納した状態で水中撮影が可能な撮影装置に於いて、
水中撮影モードを含む複数の撮影モードを選択的に設定可能な選択手段と、
上記撮影装置の本体が上記水中ハウジングに収納されているか否かを判定する判定手段と、
を具備し、
上記判定手段によって上記水中ハウジングに収納されていると判定された場合には、上記選択手段による上記水中撮影モードの選択が可能となることを特徴とする撮影装置。
【請求項２】
上記判定手段は、上記撮影装置が上記水中ハウジングに収納されていることを検知する検知部材を含むことを特徴とする請求項１に記載の撮影装置。
【請求項３】
水中ハウジングに収納した状態で水中撮影が可能な撮影装置に於いて、
第１及び第２の手動操作部材と、
上記第１の手動操作部材の操作に応じて選択可能な撮影モードを切り替え、上記第２の手動操作部材の操作に応じて撮影モードを確定する選択手段と、
を具備し、
上記撮影装置の本体が上記水中ハウジングに収納されているか否かに応じて、上記選択手段によって選択できる撮影モードを異ならせたことを特徴とする撮影装置。
【請求項４】
上記撮影装置の本体が上記水中ハウジングに収納されているか否かを検知するための検知手段を具備していることを特徴とする請求項３に記載の撮影装置。
【請求項５】
水中ハウジングに収納した状態で水中撮影が可能な撮影装置に於いて、
少なくとも水中撮影モードを含む複数の撮影モードを選択的に設定可能な選択手段と、
上記撮影装置の本体が上記水中ハウジングに収納されていることを検出する検出手段と、
上記検出手段によって上記撮影装置の本体が上記水中ハウジングに収納されていると検出された場合に、上記選択手段による上記水中撮影モードに応じた撮影制御を行う制御手段と、
を具備することを特徴とする撮影装置。
【請求項６】
上記撮影制御手段は、撮影した被写体の露出補正を行うことを特徴とする請求項５に記載の撮影装置。
【請求項７】
上記複数の撮影モードは、陸上撮影用のモードを含むことを特徴とする請求項５に記載の撮影装置。
【請求項８】
上記制御手段は、上記検出手段によって上記水中撮影モードであることが検出された場合に、上記選択手段を上記複数の撮影モードの中から水中撮影モードのみ選択するように制御することを特徴とする請求項５に記載の撮影装置。
【請求項９】
水中ハウジングに収納した状態で水中撮影が可能な撮影装置に於いて、
少なくとも水中撮影モードを有する複数の撮影モードを選択可能に切り替える第１の操作部材と、
上記第１の操作部材の操作によって選択された撮影モードを確定する第２の操作部材と、
上記撮影装置の本体が上記水中ハウジングに収納されているか否かに応じて、上記第１の操作部材によって選択可能な撮影モードを異ならせるように制御する制御手段と、
を具備することを特徴とする撮影装置。
【請求項１０】
上記撮影装置の本体が上記水中ハウジングに収納されているか否かを検出するための検出手段を具備していることを特徴とする請求項９に記載の撮影装置。
【請求項１１】
被写体の光学像を電気信号に変換するための撮像素子と、
上記撮像素子により得られた被写体像に対して画像処理を行う画像処理手段と、
水中撮影が可能なように撮影装置本体を内部に収納する水中ハウジングと、
上記撮影装置本体が上記水中ハウジングに収納されていることを検出する検出手段と、
少なくとも水中撮影モードを含む複数の撮影モードを選択的に設定可能な選択手段と、
上記検出手段によって上記撮影装置本体が上記水中ハウジングに収納されていることが検出された場合に、上記選択手段による上記水中撮影モードに応じた撮影制御を行う制御手段と、
を具備することを特徴とする撮影装置。
【請求項１２】
上記画像処理手段は、上記被写体像の露出補正を行うことを特徴とする請求項１１に記載の撮影装置。
【請求項１３】
上記複数の撮影モードは、陸上撮影用のモードを含むことを特徴とする請求項１１に記載の撮影装置。
【請求項１４】
上記制御手段は、上記検出手段によって上記水中撮影モードであることが検出された場合に、上記選択手段を上記複数の撮影モードの中から水中撮影モードのみ選択するように制御することを特徴とする請求項１１に記載の撮影装置。
【発明の詳細な説明】
【技術分野】
【０００１】
本発明は撮影装置に関し、より詳細には、水中ハウジング（防水ケース）に収納した状態で水中撮影が可能なデジタルカメラやビデオカメラ等の撮影装置に関するものである。
【背景技術】
【０００２】
デジタルカメラやビデオカメラ等の周辺アクセサリとして、カメラ本体を収納して水中撮影を可能にする水中ハウジング（防水ケース）が種々提案されている（例えば、特許文献１参照）。
【０００３】
また、ポートレートや花（接写）、風景、スポーツ等の複数の撮影シーンに対応する複数の撮影モードを有していて、ユーザがその中の何れかを選択した場合に、その撮影シーンに最適な撮影条件を自動的に設定する機能を有するカメラが種々提案されている（例えば、特許文献２参照）。
【特許文献１】特開平１０−３３３２３３号公報
【特許文献２】特開平５−１４２６１７号公報
【発明の開示】
【発明が解決しようとする課題】
【０００４】
しかしながら、カメラに選択可能な撮影シーンが多く設けられると、逆にユーザが使い難くなるという課題も有している。例えば、水中ハウジングを装着して撮影する水中撮影モードは、地上での撮影時には不要なモードである。したがって、選択対象の中にこの水中撮影モードが含まれていると、かえって煩わしく感じてしまうものであった。
【０００５】
本発明は、水中撮影モードを設定可能な撮影装置に於いて、水中以外の使用環境に於ける使い勝手を低下させないようにした撮影装置を提供することを目的とする。
【課題を解決するための手段】
【０００６】
すなわち請求項１に記載の発明は、水中ハウジングに収納した状態で水中撮影が可能な撮影装置に於いて、水中撮影モードを含む複数の撮影モードを選択的に設定可能な選択手段と、上記撮影装置の本体が上記水中ハウジングに収納されているか否かを判定する判定手段と、を具備し、上記判定手段によって上記水中ハウジングに収納されていると判定された場合には、上記選択手段による上記水中撮影モードの選択が可能となることを特徴とする。
【０００７】
請求項２に記載の発明は、請求項１に記載の発明に於いて、上記判定手段は、上記撮影装置が上記水中ハウジングに収納されていることを検知する検知部材を含むことを特徴とする。
【０００８】
請求項３に記載の発明は、水中ハウジングに収納した状態で水中撮影が可能な撮影装置に於いて、第１及び第２の手動操作部材と、上記第１の手動操作部材の操作に応じて選択可能な撮影モードを切り替え、上記第２の手動操作部材の操作に応じて撮影モードを確定する選択手段と、を具備し、上記撮影装置の本体が上記水中ハウジングに収納されているか否かに応じて、上記選択手段によって選択できる撮影モードを異ならせたことを特徴とする。
【０００９】
請求項４に記載の発明は、請求項３に記載の発明に於いて、上記撮影装置の本体が上記水中ハウジングに収納されているか否かを検知するための検知手段を具備していることを特徴とする。
【００１０】
請求項５に記載の発明は、水中ハウジングに収納した状態で水中撮影が可能な撮影装置に於いて、少なくとも水中撮影モードを含む複数の撮影モードを選択的に設定可能な選択手段と、上記撮影装置の本体が上記水中ハウジングに収納されていることを検出する検出手段と、上記検出手段によって上記撮影装置の本体が上記水中ハウジングに収納されていると検出された場合に、上記選択手段による上記水中撮影モードに応じた撮影制御を行う制御手段と、を具備することを特徴とする。
【００１１】
請求項６に記載の発明は、請求項５に記載の発明に於いて、上記撮影制御手段は、撮影した被写体の露出補正を行うことを特徴とする。
【００１２】
請求項７に記載の発明は、請求項５に記載の発明に於いて、上記複数の撮影モードは、陸上撮影用のモードを含むことを特徴とする。
【００１３】
請求項８に記載の発明は、請求項５に記載の発明に於いて、上記制御手段は、上記検出手段によって上記水中撮影モードであることが検出された場合に、上記選択手段を上記複数の撮影モードの中から水中撮影モードのみ選択するように制御することを特徴とする。
【００１４】
請求項９に記載の発明は、水中ハウジングに収納した状態で水中撮影が可能な撮影装置に於いて、少なくとも水中撮影モードを有する複数の撮影モードを選択可能に切り替える第１の操作部材と、上記第１の操作部材の操作によって選択された撮影モードを確定する第２の操作部材と、上記撮影装置の本体が上記水中ハウジングに収納されているか否かに応じて、上記第１の操作部材によって選択可能な撮影モードを異ならせるように制御する制御手段と、を具備することを特徴とする。
【００１５】
請求項１０に記載の発明は、請求項９に記載の発明に於いて、上記撮影装置の本体が上記水中ハウジングに収納されているか否かを検出するための検出手段を具備していることを特徴とする。
【００１６】
請求項１１に記載の発明は、被写体の光学像を電気信号に変換するための撮像素子と、上記撮像素子により得られた被写体像に対して画像処理を行う画像処理手段と、水中撮影が可能なように撮影装置本体を内部に収納する水中ハウジングと、上記撮影装置本体が上記水中ハウジングに収納されていることを検出する検出手段と、少なくとも水中撮影モードを含む複数の撮影モードを選択的に設定可能な選択手段と、上記検出手段によって上記撮影装置本体が上記水中ハウジングに収納されていることが検出された場合に、上記選択手段による上記水中撮影モードに応じた撮影制御を行う制御手段と、を具備することを特徴とする。
【００１７】
請求項１２に記載の発明は、請求項１１に記載の発明に於いて、上記画像処理手段は、上記被写体像の露出補正を行うことを特徴とする。
【００１８】
請求項１３に記載の発明は、請求項１１に記載の発明に於いて、上記複数の撮影モードは、陸上撮影用のモードを含むことを特徴とする。
【００１９】
請求項１４に記載の発明は、請求項１１に記載の発明に於いて、上記制御手段は、上記検出手段によって上記水中撮影モードであることが検出された場合に、上記選択手段を上記複数の撮影モードの中から水中撮影モードのみ選択するように制御することを特徴とする。
【発明の効果】
【００２０】
本発明によれば、水中撮影モードを設定可能な撮影装置に於いて、水中以外の使用環境に於ける使い勝手を低下させないようにした撮影装置を提供することができる。
【発明を実施するための最良の形態】
【００２１】
以下、図面を参照して本発明に係る撮影装置の実施形態を説明する。
【００２２】
（第１の実施形態）
図１は、本発明の第１の実施形態による撮影装置としてのカメラの外観構成を示すもので、（ａ）は上面図、（ｂ）は正面図、（ｃ）は背面図である。
【００２３】
図１に於いて、このカメラ１０はカメラボディ１１と、該カメラボディ１１の前面部に装着された撮影レンズ１２とを有して成る。上記カメラボディ１１の上面部には、該カメラ１０のシャッタレリーズスイッチに対応したレリーズ釦１３と、少なくとも水中撮影モードを含む各種撮影モードを設定するためのモードダイヤル１４及び電源スイッチ１５とが設けられている。
【００２４】
また、カメラボディ１１の背面部には、第１の手動操作部材であるＯＫ釦１６ａと第２の手動操作部材である十字キー１６ｂ、１６ｃ、１６ｄ、１６ｅから成る操作部（選択手段）１６と、検出釦１７と、液晶モニタ１８とが設けられている。
【００２５】
上記ＯＫ釦１６ａは、上記モードダイヤル１４で設定された各種モードを確定するための釦である。このＯＫ釦１６ａの周囲に配置されている十字キー１６ｂ〜１６ｅは、液晶モニタ１８に表示される図示されないメニュー画面等を操作する際にカーソルを上下左右方向に移動させるためのキーである。
【００２６】
また、検出釦１７は、このカメラ１０に後述するハウジングが装着されたか否かを検出するための釦である。この検出釦１７が押された場合はハウジングが装着された状態であり、押されていない場合はハウジングが装着されていない状態となる。更に、液晶モニタ１８は、被写体の画像を表示したり、上述したメニュー等を表示するための画面である。
【００２７】
図２は、図１の構成のカメラ１０に装着される水中撮影用のハウジング２１の構成を示す外観斜視図である。
【００２８】
図２に於いて、ハウジング２１は前ハウジング２２及び後ハウジング２３とから構成される。そして、この前ハウジング２１内に、図２には示されないがカメラ１０を装填した後、後ハウジング２３を被せるようにして装着する。その後、図示されない取り付け部材により、前ハウジング２２と後ハウジング２３が密閉される。このようにして、ハウジング２１内に水等が浸入しないような防水構造や耐圧構造がとられている。
【００２９】
上記前ハウジング２２の外面には、カメラ１０のレリーズ釦１３に対応したシャッタ釦操作スイッチ２４と、モードダイヤル１４に対応したモードダイヤル操作ノブ２５をはじめとした各種操作部が設けられている。上記シャッタ釦操作スイッチ２４は上記レリーズ釦１３と係合してオン、オフされるもので、このシャッタ釦操作スイッチ２４がオンされることにより、レリーズ釦１３を介して撮影動作が行われるようになっている。同様に、モードダイヤル操作ノブ２５は上記モードダイヤル１４と係合して操作されるもので、このモードダイヤル操作ノブ２５が操作されることによって、各種のモードに対応した撮影シーンの設定が可能になる。
【００３０】
一方、後ハウジング２３の外面には、カメラ１０の操作部１６及び液晶モニタ１８に対応して、操作部２６及び窓部２８が設けられている。操作部２６は、上述したカメラ１０の各釦及びキーに対応している。すなわち、ＯＫ釦２６ａはＯＫ釦１６ａに対応し、十字釦２６ｂ、２６ｃ、２６ｄ、２６ｅは、それぞれ十字キー１６ｂ、１６ｃ、１６ｄ、１６ｅに対応している。これら操作部２６の各釦２６ａ及び２６ｂ〜２６ｅが押されることによって、上記ＯＫ釦１６及び十字キー１６ｂ〜１６ｅが操作される。
【００３１】
また、窓部２８は、液晶モニタ１８に対応して設けられているもので、画面表示が拡大されるように、レンズ形状に形成されている。
【００３２】
更に、後ハウジング２３の内面側には、カメラ１０の背面部に設けられた検出釦１７と対応する位置に検出用のハウジング側凸部２７が設けられている。このハウジング側凸部２７が上記検出釦１７を押し込むことにより、カメラ１０にハウジング２１が装着されたことが検出されるようになっている。
【００３３】
図３は、この水中撮影用のハウジングを含むカメラの全体構成を概略的に示すブロック図である。
【００３４】
図３に於いて、このカメラ１０は、被写体からの光束を導く撮影レンズ１２と、被写体像を取り込んで光電変換する撮像素子３１と、カメラ内電子回路３２と、液晶（ＴＦＴ）モニタ１８と、操作スイッチ３６と、外部メモリ３７と、カメラ１０内の各部に電源を供給するためのバッテリ３９と、検出釦１７に対応した収納検知回路４０とを有して構成される。
【００３５】
上記カメラ内電子回路３２は、上記撮像素子３１で取り込まれた画像に信号処理を施す信号処理回路（画像処理手段）３３と、このカメラ全体の制御を司るシステム制御回路３４とを有して構成される。また、上記操作スイッチ３６は、上述したレリーズ釦１３やＯＫ釦１６ａ及び十字キー１６ｂ〜１６ｅ等で構成される。尚、上記収納検知回路４０と示システム制御回路３４は、判定手段を構成している。
【００３６】
このような構成のカメラ１０に於いて、被写体からの光束は、撮影レンズ１２を介して撮像素子３１に取り込まれて光電変換される。ここで変換された画像信号のデータは、信号処理回路３３で所定の処理が施された後、システム制御回路３４を介して外部メモリ３７に記憶される。また、上記信号処理回路３３で画像処理が行われた画像データに対応する画像が、液晶モニタ１８に表示可能である。
【００３７】
また、このカメラ１０にハウジング２１が装着されることにより、ハウジング側凸部２７が検出釦１７を押し込む。つまり、この検出釦１７が押されると、収納検知回路４０がカメラ１０にハウジング２１が装着されたことを検知する。
【００３８】
次に、図４のフローチャートを参照して、第１の実施形態に於けるカメラの基本的な動作について説明する。
【００３９】
電源スイッチ１５がオンされると、先ずステップＳ１に於いて、モードダイヤル１４がＳＣＥＮＥモードに設定されているか否かが判定される。ここで、ＳＣＥＮＥモードが設定されていない場合はステップＳ２へ移行し、ＳＣＥＮＥモードが設定されている場合はステップＳ３へ移行する。
【００４０】
ステップＳ２では、モードダイヤル１４がＡＵＴＯモードに設定されているか否かが判定される。ここで、ＡＵＴＯモードが設定されている場合はステップＳ４へ移行し、そうでない場合はステップＳ５へ移行する。
【００４１】
ステップＳ３では、サブルーチン“ＳＣＥＮＥモード”が実行される。このＳＣＥＮＥモードとは、例えばポートレードモード、スポーツモード、風景モード、水中マクロモード等の各種の撮影シーンに適した露出が行われるモードである。このサブルーチン“ＳＣＥＮＥモード”の詳細な動作については後述する。
【００４２】
また、ステップＳ４では、サブルーチン“ＡＵＴＯモード”のサブルーチンが実行される。このＡＵＴＯモードは、例えばカメラ側で適切な露出を判断して設定する周知の自動露出モードである。
【００４３】
ステップＳ５では、サブルーチン“再生”が実行される。この再生モードは、このカメラ１０で撮影された画像を液晶モニタ１８で確認するためのモードである。
【００４４】
尚、ステップＳ４のサブルーチン“ＡＵＴＯモード”と、ステップＳ５のサブルーチン“再生”の動作については、本発明の特徴部分ではなく、また周知の動作であるのでここでは説明を省略する。
【００４５】
その後、ステップＳ６にて、電源スイッチ１５がオフにされたか否かが判定される。ここで、パワーオフでなければ上記ステップＳ１へ移行して、以降の処理が繰り返される。一方、パワーオフであれば、バッテリ３９からカメラ内電子回路３２への電源供給がオフにされて待機状態に入る。そして、再び電源スイッチ１５がオンされると待機状態を抜けて本ルーチンが繰り返される。
【００４６】
図５は、上述した図４のフローチャートのステップＳ３に於けるサブルーチン“ＳＣＥＮＥモード”の詳細な動作を説明するフローチャートである。
【００４７】
本サブルーチンに入ると、先ずステップＳ１１に於いて、検出釦１７によってハウジング２１が検出されたか否かが判定される。ここで、ハウジング２１が検出されなければステップＳ１２へ移行し、検出されたならばステップＳ１３へ移行する。
【００４８】
ステップＳ１２では、水中撮影のモードを含まない撮影であるサブルーチン“ＳＣＥＮＥ設定１”が実行される。一方、ステップＳ１３では、水中撮影のモードを含む撮影であるサブルーチン“ＳＣＥＮＥ設定２”が実行される。尚、上記ステップＳ１２のサブルーチン“ＳＣＥＮＥ設定１”及びステップＳ１３のサブルーチン“ＳＣＥＮＥ設定２”の詳細な動作については後述する。
【００４９】
上記ステップＳ１２またはＳ１３にて、何れかのシーンモードが設定されたならば、ステップＳ１４に於いてレリーズ釦１３が押されたか否かが判定される。ここで、レリーズ釦１３が押されたならば、ステップＳ１５に移行して、サブルーチン“撮影”が実行される。尚、このサブルーチン“撮影”の動作は周知のものであるのでここでは説明を省略する。
【００５０】
一方、上記ステップＳ１４にてレリーズ釦１３が押されていない場合、及びステップＳ１５にて撮影動作が行われた後は、ステップＳ１６にて変更操作が行われたか否かが判定される。ここで、変更操作とは、モードダイヤル１４の切り替え、或いはシーンの設定の切り替えである。ステップＳ１６にて、変更操作が行われない場合は上記ステップＳ１４へ移行して移行の処理動作が繰り返される。一方、上記ステップＳ１６にて変更操作がなされた場合は、本サブルーチンを抜けて図４のフローチャートのステップＳ６へ移行する。
【００５１】
次に、図６のフローチャートを参照して、図５のフローチャートのステップＳ１２に於けるサブルーチン“ＳＣＥＮＥ設定１”の動作について説明する。
【００５２】
本サブルーチンに入ると、先ず、ステップＳ２１にて１つ目のシーンモードであるポートレートモードが選択可能状態とされる。次いで、ステップＳ２２に於いて、ＯＫ釦１６ａがオンされたか否かが判定される。ここで、ＯＫ釦１６ａが押されたならば、ステップＳ２３へ移行して、ポートレートモードが確定して、該ポートレートモードに応じた撮影条件が設定される。この撮影条件とは、プログラム線図、ＩＳＯ感度、ＡＦモード、ＡＥモード、ホワイトバランス等が、選択されたシーンモードに適した値に設定されることを意味している。この後、本サブルーチンを抜けて、図５のフローチャートのステップＳ１４へ移行する。
【００５３】
一方、上記ステップＳ２２にてＯＫ釦１６ａがオンされない場合は、ステップＳ２４に移行して十字キーの状態が判定される。ここで、十字キーがアップ（ＵＰ）、すなわち十字キー１６ｂが押された場合は、後述するステップＳ３７の夜景モードに移行する。また、ステップＳ２２にて十字キーがダウン（ＤＯＷＮ）、すなわち十字キー１６ｃが押された場合は、ステップＳ２５へ移行する。
【００５４】
ステップＳ２５では、２つ目のシーンモードであるスポーツモードが選択可能状態になる。次いで、ステップＳ２６に於いて、ＯＫ釦１６ａがオンされたか否かが判定される。ここで、ＯＫ釦１６ａが押されたならば、ステップＳ２７へ移行して、スポーツモードが確定して、該スポーツモードに応じた撮影条件が設定される。その後、本サブルーチンを抜けて、図５のフローチャートのステップＳ１４へ移行する。
【００５５】
一方、上記ステップＳ２６にてＯＫ釦１６ａがオンされない場合は、ステップＳ２８に移行して十字キーの状態が判定される。ここで、十字キーがアップ（ＵＰ）、すなわち十字キー１６ｂが押された場合は、上記ステップＳ２１のポートレートモードに移行する。また、ステップＳ２８にて十字キーがダウン（ＤＯＷＮ）、すなわち十字キー１６ｃが押された場合は、ステップＳ２９へ移行する。
【００５６】
ステップＳ２９では、３つ目のシーンモードである記念撮影モードが選択可能状態になる。次いで、ステップＳ３０に於いて、ＯＫ釦１６ａがオンされたか否かが判定される。ここで、ＯＫ釦１６ａが押されたならば、ステップＳ３１へ移行して、記念撮影モードが確定して、該記念撮影モードに応じた撮影条件が設定される。その後、本サブルーチンを抜けて、図５のフローチャートのステップＳ１４へ移行する。
【００５７】
一方、上記ステップＳ３０にてＯＫ釦１６ａがオンされない場合は、ステップＳ３２に移行して十字キーの状態が判定される。ここで、十字キーがアップ（ＵＰ）、すなわち十字キー１６ｂが押された場合は、上記ステップＳ２５のスポーツモードに移行する。また、ステップＳ３２にて十字キーがダウン（ＤＯＷＮ）、すなわち十字キー１６ｃが押された場合は、ステップＳ３３へ移行する。
【００５８】
ステップＳ３３では、４つ目のシーンモードである風景モードが選択可能状態になる。次いで、ステップＳ３４に於いて、ＯＫ釦１６ａがオンされたか否かが判定される。ここで、ＯＫ釦１６ａが押されたならば、ステップＳ３５へ移行して、風景モードが確定して、該風景モードに応じた撮影条件が設定される。その後、本サブルーチンを抜けて、図５のフローチャートのステップＳ１４へ移行する。
【００５９】
一方、上記ステップＳ３４にてＯＫ釦１６ａがオンされない場合は、ステップＳ３６に移行して十字キーの状態が判定される。ここで、十字キーがアップ（ＵＰ）、すなわち十字キー１６ｂが押された場合は、上記ステップＳ２９の記念撮影モードに移行する。また、ステップＳ３６にて十字キーがダウン（ＤＯＷＮ）、すなわち十字キー１６ｃが押された場合は、ステップＳ３７へ移行する。
【００６０】
ステップＳ３７では、５つ目のシーンモードである夜景モードが選択可能状態とされる。次いで、ステップＳ３８に於いて、ＯＫ釦１６ａがオンされたか否かが判定される。ここで、ＯＫ釦１６ａが押されたならば、ステップＳ３９へ移行して、夜景モードが確定して、該夜景モードに応じた撮影条件が設定される。その後、本サブルーチンを抜けて、図５のフローチャートのステップＳ１４へ移行する。
【００６１】
一方、上記ステップＳ３８にてＯＫ釦１６ａがオンされない場合は、ステップＳ４０に移行して十字キーの状態が判定される。ここで、十字キーがアップ（ＵＰ）、すなわち十字キー１６ｂが押された場合は、上記ステップＳ３３の風景モードに移行する。また、ステップＳ４０にて十字キーがダウン（ＤＯＷＮ）、すなわち十字キー１６ｃが押された場合は、上記ステップＳ２１のポートレートモードに移行する。
【００６２】
図８（ａ）は、上述したサブルーチン“ＳＣＥＮＥ設定１”に於ける各シーンモードと十字キーとの関係を示した図である。
【００６３】
例えば、ポートレートモードが選択可能な状態でＯＫ釦１６ａが押されると、ポートレートモードが確定される。そして、ポートレートモードの状態から十字キー１６ｃが押されると、シーンモードがスポーツモードに切り替わる。更に、十字キー１６ｃが押されると、シーンモードは記念撮影モードに切り替わる。また、ポートレートモードが選択可能な状態で十字キー１６ｂが押されると、シーンモードは夜景モードに切り替わる。
【００６４】
つまり、何れのシーンモードの選択の際にも十字キー１６ｃが押されると、ポートレートモード→スポーツモード→記念撮影モード→風景モード→夜景モード→ポートレートモード→…のように、サイクリックに切り替わる。一方、何れのシーンモードの選択の際にも十字キー１６ｂが押されると、ポートレートモード→夜景モード→風景モード→記念撮影モード→スポーツモード→ポートレートモード→…のように、上述した十字キー１６ｃの場合とは逆の順序でサイクリックに切り替わる。
【００６５】
そして、何れかのシーンモードにてＯＫ釦１６ａが押されると、そのときのシーンモードに応じた撮影条件が設定されるようになっている。
【００６６】
次に、図７のフローチャートを参照して、図５のフローチャートのステップＳ１３に於けるサブルーチン“ＳＣＥＮＥ設定２”の動作について説明する。
【００６７】
尚、“ＳＣＥＮＥ設定２”の動作は、カメラ１０にハウジング２１が装着された場合のみ実行されるので、撮影者はＯＫ釦２６ａ、十字釦２６ｂ〜２６ｅを介して、カメラ１０のＯＫ釦１６ａ、十字キー１６ｂ〜１６ｅを操作することになる。
【００６８】
本サブルーチンに入ると、先ず、ステップＳ５１にて１つ目のシーンモードであるポートレートモードが選択可能状態とされる。次いで、ステップＳ５２に於いて、ＯＫ釦２６ａがオンされたか否かが判定される。ここで、ＯＫ釦２６ａが押されたならば、ステップＳ５３へ移行して、ポートレートモードが確定して、該ポートレートモードに応じた撮影条件が設定される。この後、本サブルーチンを抜けて、図５のフローチャートのステップＳ１４へ移行する。
【００６９】
一方、上記ステップＳ５２にてＯＫ釦２６ａがオンされない場合は、ステップＳ５４に移行して十字釦の状態が判定される。ここで、十字釦がアップ（ＵＰ）、すなわち十字釦２６ｂが押された場合は、後述するステップＳ７５の水中マクロモードに移行する。また、ステップＳ５２にて十字釦がダウン（ＤＯＷＮ）、すなわち十字釦２６ｃが押された場合は、ステップＳ５５へ移行する。
【００７０】
ステップＳ５５では、２つ目のシーンモードであるスポーツモードが選択可能な状態になる。次いで、ステップＳ５６に於いて、ＯＫ釦２６ａがオンされたか否かが判定される。ここで、ＯＫ釦２６ａが押されたならば、ステップＳ５７へ移行して、スポーツモードが確定して、該スポーツモードに応じた撮影条件が設定される。その後、本サブルーチンを抜けて、図５のフローチャートのステップＳ１４へ移行する。
【００７１】
一方、上記ステップＳ５６にてＯＫ釦２６ａがオンされない場合は、ステップＳ５８に移行して十字釦の状態が判定される。ここで、十字釦がアップ（ＵＰ）、すなわち十字釦２６ｂが押された場合は、上記ステップＳ５１のポートレートモードに移行する。また、ステップＳ５８にて十字釦がダウン（ＤＯＷＮ）、すなわち十字釦２６ｃが押された場合は、ステップＳ５９へ移行する。
【００７２】
ステップＳ５９では、３つ目のシーンモードである記念撮影モードが選択可能な状態になる。次いで、ステップＳ６０に於いて、ＯＫ釦２６ａがオンされたか否かが判定される。ここで、ＯＫ釦２６ａが押されたならば、ステップＳ６１へ移行して、記念撮影モードが確定して、該記念撮影モードに応じた撮影条件が設定される。その後、本サブルーチンを抜けて、図５のフローチャートのステップＳ１４へ移行する。
【００７３】
一方、上記ステップＳ６０にてＯＫ釦２６ａがオンされない場合は、ステップＳ６２に移行して十字釦の状態が判定される。ここで、十字釦がアップ（ＵＰ）、すなわち十字釦２６ｂが押された場合は、上記ステップＳ５５のスポーツモードに移行する。また、ステップＳ６２にて十字釦がダウン（ＤＯＷＮ）、すなわち十字釦２６ｃが押された場合は、ステップＳ６３へ移行する。
【００７４】
ステップＳ６３では、４つ目のシーンモードである風景モードが選択可能な状態になる。次いで、ステップＳ６４に於いて、ＯＫ釦２６ａがオンされたか否かが判定される。ここで、ＯＫ釦２６ａが押されたならば、ステップＳ６５へ移行して、風景モードが確定して、該風景モードに応じた撮影条件が設定される。その後、本サブルーチンを抜けて、図５のフローチャートのステップＳ１４へ移行する。
【００７５】
一方、上記ステップＳ６４にてＯＫ釦２６ａがオンされない場合は、ステップＳ６６に移行して十字釦の状態が判定される。ここで、十字釦がアップ（ＵＰ）、すなわち十字釦２６ｂが押された場合は、上記ステップＳ５９の記念撮影モードに移行する。また、ステップＳ６６にて十字釦がダウン（ＤＯＷＮ）、すなわち十字釦２６ｃが押された場合は、ステップＳ６７へ移行する。
【００７６】
ステップＳ６７では、５つ目のシーンモードである夜景モードが選択可能な状態になる。次いで、ステップＳ６８に於いて、ＯＫ釦２６ａがオンされたか否かが判定される。ここで、ＯＫ釦２６ａが押されたならば、ステップＳ６９へ移行して、夜景モードが確定して、該夜景モードに応じた撮影条件が設定される。その後、本サブルーチンを抜けて、図５のフローチャートのステップＳ１４へ移行する。
【００７７】
一方、上記ステップＳ６８にてＯＫ釦２６ａがオンされない場合は、ステップＳ７０に移行して十字釦の状態が判定される。ここで、十字釦がアップ（ＵＰ）、すなわち十字釦２６ｂが押された場合は、上記ステップＳ６３の風景モードに移行する。また、ステップＳ７０にて十字釦がダウン（ＤＯＷＮ）、すなわち十字釦２６ｃが押された場合は、ステップＳ７１へ移行する。
【００７８】
ステップＳ７１では、６つ目のシーンモードであり、水中撮影モードである水中ワイドモードが選択可能な状態になる。次いで、ステップＳ７２に於いて、ＯＫ釦２６ａがオンされたか否かが判定される。ここで、ＯＫ釦２６ａが押されたならば、ステップＳ７３へ移行して、水中ワイドモードが確定して、該水中ワイドモードに応じた撮影条件が設定される。その後、本サブルーチンを抜けて、図５のフローチャートのステップＳ１４へ移行する。
【００７９】
一方、上記ステップＳ７２にてＯＫ釦２６ａがオンされない場合は、ステップＳ７４に移行して十字釦の状態が判定される。ここで、十字釦がアップ（ＵＰ）、すなわち十字釦２６ｂが押された場合は、上記ステップＳ６７の夜景モードに移行する。また、ステップＳ７４にて十字釦がダウン（ＤＯＷＮ）、すなわち十字釦２６ｃが押された場合は、ステップＳ７５へ移行する。
【００８０】
ステップＳ７５では、７つ目のシーンモードである水中マクロモードが選択可能な状態になる。次いで、ステップＳ７６に於いて、ＯＫ釦２６ａがオンされたか否かが判定される。ここで、ＯＫ釦２６ａが押されたならば、ステップＳ７７へ移行して、水中マクロモードが確定して、該水中マクロモードに応じた撮影条件が設定される。その後、本サブルーチンを抜けて、図５のフローチャートのステップＳ１４へ移行する。
【００８１】
一方、上記ステップＳ７６にてＯＫ釦２６ａがオンされない場合は、ステップＳ７８に移行して十字釦の状態が判定される。ここで、十字釦がアップ（ＵＰ）、すなわち十字釦２６ｂが押された場合は、上記ステップＳ７１の水中ワイドモードに移行する。また、ステップＳ７８にて十字釦がダウン（ＤＯＷＮ）、すなわち十字釦２６ｃが押された場合は、上記ステップＳ５１のポートレートモードに移行する。
【００８２】
図８（ｂ）は、上述したサブルーチン“ＳＣＥＮＥ設定２”に於ける各シーンモードと十字釦に対応した十字キーとの関係を示した図である。
【００８３】
図８（ａ）の“ＳＣＥＮＥ設定１”の場合と同様に、ポートレートモードが選択可能な状態でＯＫ釦１６ａが押されると、ポートレートモードが確定される。そして、ポートレートモードの状態から十字キー１６ｃが押されると、シーンモードがスポーツモードに切り替わり、更に十字キー１６ｃが押されると記念撮影モードに切り替わる。また、ポートレートモードが選択可能な状態で十字キー１６ｂが押されると、シーンモードは水中マクロモードに切り替わる。
【００８４】
つまり、何れのシーンモードの選択の際にも十字キー１６ｃが押されると、ポートレートモード→スポーツモード→記念撮影モード→風景モード→夜景モード→水中ワイドモード→水中マクロモード→ポートレートモード→…のように、サイクリックに切り替わる。一方、何れのシーンモードの選択の際にも十字キー１６ｂが押されると、ポートレートモード→水中マクロモード→水中ワイドモード→夜景モード→風景モード→記念撮影モード→スポーツモード→ポートレートモード→…のように、上述した十字キー１６ｃの場合とは逆の順序でサイクリックに切り替わる。
【００８５】
そして、何れかのシーンモードまたは十字キー入力待ちの状態にてＯＫ釦１６ａが押されると、そのときのシーンモードに応じた撮影条件が設定されるようになっている。
【００８６】
このように、検出釦１７の状態に応じて、シーンモードを水中撮影の有る場合と無い場合とに区別して設定することができるようにしたので、水中以外の使用環境に於けるカメラの使い勝手を向上させることができる。
【００８７】
また、上述した第１の実施形態では、ハウジングの装着の有無の検出を、カメラボディ１１の背面部で、ハウジングの一部に設けたハウジング側凸部と対応する位置に設けた検出釦により行っていたが、これに限られるものではない。
【００８８】
例えば、図９に示されるように、検出釦をモードダイヤル１４に設けても良いものである。
【００８９】
図９に於いて、モードダイヤル１４は、その中心位置にハウジング検出用のスイッチである検出釦１４ａを設けている。この検出釦１４ａは、モードダイヤル操作ノブ２５の先端部２５ａと対応した位置になるように設けられている。したがって、図１０（ａ）に示されるように、モードダイヤル操作ノブ２５が、図示矢印Ａ方向に押し込まれると検出釦１４ａが押される。これにより、カメラ１０に前ハウジング２２が装着されたことが検出される。
【００９０】
また、モードダイヤル操作ノブ２５は、上記先端部２５ａの近傍に係合部材２５ｂを有している。この係合部材２５ｂは、モードダイヤル操作ノブ２５に固定されているもので、該モードダイヤル操作ノブ２５と共に回動可能になっている。更に、係合部材２５ｂの先端には、モードダイヤル１４の外縁部１４ｂと噛合する係合部２５ｃが形成されている。この係合部２５ｃが外縁部１４ｂと噛合することによって、モードダイヤル操作ノブ２５を所望の方向に回転させると、同じ方向にモードダイヤル１４を回転させることができる。
【００９１】
また、図示矢印Ｂ方向にモードダイヤル操作ノブ２５を引き上げると、モードダイヤル操作ノブ２５の先端部２５ａが検出釦１４ａから離れる。すると、ハウジングが装着されない状態と検出されて、水中撮影のモードが選択できなくなる。
【００９２】
図１１は、ハウジング検出用スイッチの別の例を示した構成図である。
【００９３】
この場合、カメラボディ１１の一部に窓４２を設け、その近傍に発光素子としてフォトダイオード４３ａと、受光素子としてのフォトトランジスタ４３ｂを設けている。一方、ハウジング２２側には金属等の反射板２２ａを設けておく。
【００９４】
このような構成に於いて、フォトダイオード４３ａから投射された光が、窓４２を介して反射板２２ａに至る。そして、この反射板２２ａで反射された光は、再び窓４２を介してフォトトランジスタ４３ｂに入射する。つまり、フォトダイオード４３ａから投射された光がフォトトランジスタ４３ｂで検出されたならば、反射板２２ａによって反射されたものとして前ハウジング２２がカメラボディ１１に装着されたものと判定される。一方、フォトトランジスタ４３ｂでフォトダイオードからの光が検出されない場合は、反射板２２ａが存在しない、すなわち前ハウジング２２が装着されていないものと判定される。
【００９５】
このように、光学的なスイッチによってハウジングを検出することも可能である。
【００９６】
図１２は、更に別の例の構成を示した図である。
【００９７】
図１２に於いて、カメラボディ１１内の下面部近傍には、磁気スイッチ４５が設けられている。一方、この磁気スイッチ４５と対応する後ハウジング２３には、磁石２９ｂを有したウエイト２９ａが着脱自在に取り付けられる。
【００９８】
このような構成に於いて、ウエイト２９ａが後ハウジング２３に取り付けられると、磁石２９ｂの磁力によってカメラボディ１１内の磁気スイッチ４５がオンされる。これにより、カメラボディ１１に後ハウジング２３が装着されたと判定される。一方、ウエイト２９ａが後ハウジング２３に装着されない場合は、磁気スイッチ４５はオフ状態である。したがって、カメラボディ１１に後ハウジング２３が装着されていないものと判定される。
【００９９】
このように、磁気スイッチを用いてもハウジングを検出することができる。
【０１００】
尚、ウエイト２９ａは、水中撮影時にカメラをバランス良く把持するために装着されるものであるため、磁石２９ｂを設けるために新たな部材を用意する必要はない。
【０１０１】
（第２の実施形態）
上述した第１の実施形態では、ＳＣＥＮＥ設定１及びＳＣＥＮＥ設定２とも、シーンのモード切り替え時は、最初にポートレートモードが選択可能な状態とされていた。しかしながら、ハウジングが装着されている状態のＳＣＥＮＥ設定２の場合は、水中撮影のモードが使用されることが多い。したがって、この第２の実施形態では、ＳＣＥＮＥ設定２が選択された場合は、始めに水中マクロモードが選択可能状態となるようにしている。
【０１０２】
図１３は、本発明の第２の実施形態であって、図５のフローチャートのステップＳ１３に於けるサブルーチン“ＳＣＥＮＥ設定２”の動作について説明するフローチャートである。尚、“ＳＣＥＮＥ設定１”のサブルーチンについては、図６に示される上述した第１の実施形態のフローチャートと同じであるので説明は省略する。
【０１０３】
また、この第２の実施形態に於いては、撮影装置としてのカメラ及びハウジングの構成及び基本的な動作については、図１乃至図１２に示される第１の実施形態と同じであるので、これらの構成及び動作については、同一の部分には同一の参照番号を付して、その図示及び説明は省略するものとし、異なる動作についてのみ説明する。
【０１０４】
本サブルーチンに入ると、先ず、ステップＳ８１にて、１つ目のシーンモードであり、水中撮影モードである水中マクロモードが選択可能な状態になる。次いで、ステップＳ８２に於いて、ＯＫ釦２６ａがオンされたか否かが判定される。ここで、ＯＫ釦２６ａが押されたならば、ステップＳ８３へ移行して、水中マクロモードが確定して、該水中マクロモードに応じた撮影条件が設定される。その後、本サブルーチンを抜けて、図５のフローチャートのステップＳ１４へ移行する。
【０１０５】
一方、上記ステップＳ８２にてＯＫ釦２６ａがオンされない場合は、ステップＳ８４に移行して十字釦の状態が判定される。ここで、十字釦がアップ（ＵＰ）、すなわち十字釦２６ｂが押された場合は、後述するステップＳ１０５の夜景モードに移行する。また、ステップＳ８４にて十字釦がダウン（ＤＯＷＮ）、すなわち十字釦２６ｃが押された場合は、ステップＳ８５に移行する。
【０１０６】
ステップＳ８５では、２つ目のシーンモードである水中ワイドモードが選択可能な状態になる。次いで、ステップＳ８６に於いて、ＯＫ釦２６ａがオンされたか否かが判定される。ここで、ＯＫ釦２６ａが押されたならば、ステップＳ８７へ移行して、水中ワイドモードが確定して、該水中ワイドモードに応じた撮影条件が設定される。その後、本サブルーチンを抜けて、図５のフローチャートのステップＳ１４へ移行する。
【０１０７】
一方、上記ステップＳ８６にてＯＫ釦２６ａがオンされない場合は、ステップＳ８８に移行して十字釦の状態が判定される。ここで、十字釦がアップ（ＵＰ）、すなわち十字釦２６ｂが押された場合は、上記ステップＳ８１の水中マクロモードに移行する。また、ステップＳ８８にて十字釦がダウン（ＤＯＷＮ）、すなわち十字釦２６ｃが押された場合は、ステップＳ８９へ移行する。
【０１０８】
ステップＳ８９では、３つ目のシーンモードであるポートレートモードが選択可能状態とされる。次いで、ステップＳ９０に於いて、ＯＫ釦２６ａがオンされたか否かが判定される。ここで、ＯＫ釦２６ａが押されたならば、ステップＳ９１へ移行して、ポートレートモードが確定して、該ポートレートモードに応じた撮影条件が設定される。この後、本サブルーチンを抜けて、図５のフローチャートのステップＳ１４へ移行する。
【０１０９】
一方、上記ステップＳ９０にてＯＫ釦２６ａがオンされない場合は、ステップＳ９２に移行して十字釦の状態が判定される。ここで、十字釦がアップ（ＵＰ）、すなわち十字釦２６ｂが押された場合は、上記ステップＳ８５の水中ワイドモードに移行する。また、ステップＳ９２にて十字釦がダウン（ＤＯＷＮ）、すなわち十字釦２６ｃが押された場合は、ステップＳ９３へ移行する。
【０１１０】
ステップＳ９３では、４つ目のシーンモードであるスポーツモードが選択可能な状態になる。次いで、ステップＳ９４に於いて、ＯＫ釦２６ａがオンされたか否かが判定される。ここで、ＯＫ釦２６ａが押されたならば、ステップＳ９５へ移行して、スポーツモードが確定して、該スポーツモードに応じた撮影条件が設定される。その後、本サブルーチンを抜けて、図５のフローチャートのステップＳ１４へ移行する。
【０１１１】
一方、上記ステップＳ９４にてＯＫ釦２６ａがオンされない場合は、ステップＳ９６に移行して十字釦の状態が判定される。ここで、十字釦がアップ（ＵＰ）、すなわち十字釦２６ｂが押された場合は、上記ステップＳ８９のポートレートモードに移行する。また、ステップＳ９６にて十字釦がダウン（ＤＯＷＮ）、すなわち十字釦２６ｃが押された場合は、ステップＳ９７へ移行する。
【０１１２】
ステップＳ９７では、５つ目のシーンモードである記念撮影モードが選択可能な状態になる。次いで、ステップＳ９８に於いて、ＯＫ釦２６ａがオンされたか否かが判定される。ここで、ＯＫ釦２６ａが押されたならば、ステップＳ９９へ移行して、記念撮影モードが確定して、該記念撮影モードに応じた撮影条件が設定される。その後、本サブルーチンを抜けて、図５のフローチャートのステップＳ１４へ移行する。
【０１１３】
一方、上記ステップＳ９８にてＯＫ釦２６ａがオンされない場合は、ステップＳ１００に移行して十字釦の状態が判定される。ここで、十字釦がアップ（ＵＰ）、すなわち十字釦２６ｂが押された場合は、上記ステップＳ９３のスポーツモードに移行する。また、ステップＳ１００にて十字釦がダウン（ＤＯＷＮ）、すなわち十字釦２６ｃが押された場合は、ステップＳ１０１へ移行する。
【０１１４】
ステップＳ１０１では、６つ目のシーンモードである風景モードが選択可能な状態になる。次いで、ステップＳ１０２に於いて、ＯＫ釦２６ａがオンされたか否かが判定される。ここで、ＯＫ釦２６ａが押されたならば、ステップＳ１０３へ移行して、風景モードが確定して、該風景モードに応じた撮影条件が設定される。その後、本サブルーチンを抜けて、図５のフローチャートのステップＳ１４へ移行する。
【０１１５】
一方、上記ステップＳ１０２にてＯＫ釦２６ａがオンされない場合は、ステップＳ１０４に移行して十字釦の状態が判定される。ここで、十字釦がアップ（ＵＰ）、すなわち十字釦２６ｂが押された場合は、上記ステップＳ９７の記念撮影モードに移行する。また、ステップＳ１０４にて十字釦がダウン（ＤＯＷＮ）、すなわち十字釦２６ｃが押された場合は、ステップＳ１０５へ移行する。
【０１１６】
ステップＳ１０５では、７つ目のシーンモードである夜景モードが選択可能な状態になる。次いで、ステップＳ１０６に於いて、ＯＫ釦２６ａがオンされたか否かが判定される。ここで、ＯＫ釦２６ａが押されたならば、ステップＳ１０７へ移行して、夜景モードが確定して、該夜景モードに応じた撮影条件が設定される。その後、本サブルーチンを抜けて、図５のフローチャートのステップＳ１４へ移行する。
【０１１７】
一方、上記ステップＳ１０６にてＯＫ釦２６ａがオンされない場合は、ステップＳ１０８に移行して十字釦の状態が判定される。ここで、十字釦がアップ（ＵＰ）、すなわち十字釦２６ｂが押された場合は、上記ステップＳ１０１の風景モードに移行する。また、ステップＳ１０８にて十字釦がダウン（ＤＯＷＮ）、すなわち十字釦２６ｃが押された場合は、上記ステップＳ８１の水中マクロモードへ移行する。
【０１１８】
図１４は、図１３のサブルーチン“ＳＣＥＮＥ設定２”に於ける各シーンモードと十字釦に対応した十字キーとの関係を示した図である。
【０１１９】
水中マクロモードが選択可能な状態でＯＫ釦１６ａが押されると、水中マクロモードが確定される。そして、水中マクロモードの状態から十字キー１６ｃが押されると、シーンモードが水中ワイドモードに切り替わり、更に十字キー１６ｃが押されるとポートレートモードに切り替わる。また、水中マクロモードが選択可能な状態で十字キー１６ｂが押されると、シーンモードは夜景モードに切り替わる。
【０１２０】
つまり、水中マクロモードが最初に選択可能状態であって、何れのシーンモードの選択の際にも十字キー１６ｃが押されると、水中マクロモード→水中ワイドモード→ポートレートモード→スポーツモード→記念撮影モード→風景モード→夜景モード→水中マクロモード→…のように、サイクリックに切り替わる。一方、水中マクロモードが最初に選択可能状態であって、何れのシーンモードの選択の際にも十字キー１６ｂが押されると、水中マクロモード→夜景モード→風景モード→記念撮影モード→スポーツモード→ポートレートモード→水中ワイドモード→水中マクロモード→…のように、上述した十字キー１６ｃの場合とは逆の順序でサイクリックに切り替わる。
【０１２１】
そして、何れかのシーンモードまたは十字キー入力待ちの状態にてＯＫ釦１６ａが押されると、そのときのシーンモードに応じた撮影条件が設定されるようになっている。
【０１２２】
このようにサブルーチン“ＳＣＥＮＥ設定２”を構成すれば、ハウジングを装着した場合に水中撮影のモードを優先的に選択可能状態にすることができる。したがって、水中撮影を主目的とした撮影の場合、より使い勝手が向上する。
【０１２３】
（第３の実施形態）
上述した第１及び第２の実施形態では、カメラにハウジングが装着された状態、すなわち水中撮影モードが含まれたＳＣＥＮＥ設定２の場合も、水中マクロモード、水中ワイドモードの他に、水中撮影モード以外のシーンも選択可能としている例を説明した。
【０１２４】
この第３の実施形態では、カメラにハウジングが装着された場合は、水中撮影モードであると判定して他のシーンのモードは選択できないようにしている。
【０１２５】
図１５は、本発明の第３の実施形態であって、図５のフローチャートのステップＳ１３に於けるサブルーチン“ＳＣＥＮＥ設定２”の動作について説明するフローチャートである。尚、“ＳＣＥＮＥ設定１”のサブルーチンについては、図６に示される上述した第１の実施形態のフローチャートと同じであるので説明は省略する。
【０１２６】
また、この第３の実施形態に於いては、撮影装置としてのカメラ及びハウジングの構成及び基本的な動作については、図１乃至図１２に示される第１の実施形態と同じであるので、これらの構成及び動作については、同一の部分には同一の参照番号を付して、その図示及び説明は省略するものとし、異なる動作についてのみ説明する。
【０１２７】
本サブルーチンに入ると、先ず、ステップＳ１１１にて、１つ目の水中撮影モードである水中マクロモードが選択可能な状態になる。次いで、ステップＳ１１２に於いて、ＯＫ釦２６ａがオンされたか否かが判定される。ここで、ＯＫ釦２６ａが押されたならば、ステップＳ１１３へ移行して、水中マクロモードが確定して、該水中マクロモードに応じた撮影条件が設定される。その後、本サブルーチンを抜けて、図５のフローチャートのステップＳ１４へ移行する。
【０１２８】
一方、上記ステップＳ１１２にてＯＫ釦２６ａがオンされない場合は、ステップＳ１１４に移行して十字釦の状態が判定される。ここで、十字釦がアップ（ＵＰ）またはダウン（ＤＯＷＮ）、すなわち十字釦２６ｂまたは２６ｃが押されたならば、ステップＳ１１５の水中ワイドモードに移行する。
【０１２９】
ステップＳ１１５では、２つ目の水中撮影モードである水中ワイドモードが選択可能な状態になる。次いで、ステップＳ１１６に於いて、ＯＫ釦２６ａがオンされたか否かが判定される。ここで、ＯＫ釦２６ａが押されたならば、ステップＳ１１７へ移行して、水中ワイドモードが確定して、該水中ワイドモードに応じた撮影条件が設定される。その後、本サブルーチンを抜けて、図５のフローチャートのステップＳ１４へ移行する。
【０１３０】
一方、上記ステップＳ１１６にてＯＫ釦２６ａがオンされない場合は、ステップＳ１１８に移行して十字釦の状態が判定される。ここで、十字釦がアップ（ＵＰ）またはダウン（ＤＯＷＮ）、すなわち十字釦２６ｂまたは２６ｃが押されたならば、上記ステップＳ１１１の水中マクロモードに移行する。
【０１３１】
図１６は、図１５のサブルーチン“ＳＣＥＮＥ設定２”に於ける各シーンモードと十字釦に対応した十字キーとの関係を示した図である。
【０１３２】
水中マクロモードが選択可能な状態でＯＫ釦１６ａが押されると、水中マクロモードが確定される。そして、水中マクロモードの状態から十字キー１６ｂまたは１６ｃが押されると、シーンモードが水中ワイドモードに切り替わる。ここから、更に十字キー１６ｂまたは１６ｃが押されると、再度水中マクロモードに切り替わる。
【０１３３】
つまり、水中マクロモードが最初に選択可能状態であって、十字キー１６ｂまたは１６ｃが押されると、水中マクロモード→水中ワイドモード→水中マクロモード→…のように、サイクリックに切り替わる。
【０１３４】
そして、何れかのシーンモードまたは十字キー入力待ちの状態にてＯＫ釦１６ａが押されると、そのときのシーンモードに応じた撮影条件が設定されるようになっている。
【０１３５】
このようにサブルーチン“ＳＣＥＮＥ設定２”を構成すれば、ハウジングを装着した場合には、水中撮影のモードのみ選択可能状態にすることができる。したがって、水中撮影のみの撮影の場合、不要なシーンモードが選択されることがないので、より使い勝手が向上する。
【０１３６】
尚、上述した実施形態に於いては、水中撮影のモードは水中マクロモードと水中ワイドモードを例として説明したが、これに限られるものではなく、水中撮影用であれば他のモード、例えば水中ポートレートモード等を含んでも良いのは勿論である。
【０１３７】
また、上述した実施形態では、撮影装置に撮像素子を有するカメラとした例で説明したが、これに限られるものではなく、フィルムを使用したカメラにも適用可能である。
【０１３８】
以上、本発明の実施形態について説明したが、本発明は上述した実施形態に限定されるものではなく、本発明の要旨を逸脱しない範囲で種々の変形実施が可能であるのは勿論である。
【図面の簡単な説明】
【０１３９】
【図１】本発明の第１の実施形態による撮影装置としてのカメラの外観構成を示すもので、（ａ）は上面図、（ｂ）は正面図、（ｃ）は背面図である。
【図２】図１の構成のカメラ１０に装着される水中撮影用のハウジング２１の構成を示す外観斜視図である。
【図３】水中撮影用のハウジングを含むカメラの全体構成を概略的に示すブロック図である。
【図４】第１の実施形態に於けるカメラの基本的な動作について説明するフローチャートである。
【図５】図４のフローチャートのステップＳ３に於けるサブルーチン“ＳＣＥＮＥモード”の詳細な動作を説明するフローチャートである。
【図６】図５のフローチャートのステップＳ１２に於けるサブルーチン“ＳＣＥＮＥ設定１”の動作について説明するフローチャートである。
【図７】図５のフローチャートのステップＳ１３に於けるサブルーチン“ＳＣＥＮＥ設定２”の動作について説明するフローチャートである。
【図８】（ａ）は図６のサブルーチン“ＳＣＥＮＥ設定１”に於ける各シーンモードと十字キーとの関係を示した図、（ｂ）は図７のサブルーチン“ＳＣＥＮＥ設定２”に於ける各シーンモードと十字釦に対応した十字キーとの関係を示した図である。
【図９】ハウジング検出用のスイッチの他の例を示した図である。
【図１０】ハウジング検出用のスイッチの他の例を示した図である。
【図１１】ハウジング検出用スイッチの別の例を示した構成図である。
【図１２】ハウジング検出用スイッチの更に別の例を示した構成図である。
【図１３】本発明の第２の実施形態であって、図５のフローチャートのステップＳ１３に於けるサブルーチン“ＳＣＥＮＥ設定２”の動作について説明するフローチャートである。
【図１４】図１３のサブルーチン“ＳＣＥＮＥ設定２”に於ける各シーンモードと十字釦に対応した十字キーとの関係を示した図である。
【図１５】本発明の第３の実施形態であって、図５のフローチャートのステップＳ１３に於けるサブルーチン“ＳＣＥＮＥ設定２”の動作について説明するフローチャートである。
【図１６】図１５のサブルーチン“ＳＣＥＮＥ設定２”に於ける各シーンモードと十字釦に対応した十字キーとの関係を示した図である。
【符号の説明】
【０１４０】
１０…カメラ、１１…カメラボディ、１２…撮影レンズ、１３…レリーズ釦、１４…モードダイヤル、１５…電源スイッチ、１６…操作部、１６ａ…ＯＫ釦、１６ｂ、１６ｃ、１６ｄ、１６ｅ…十字キー、１７…検出釦、１８…液晶（ＴＦＴ）モニタ、２１…ハウジング、２２…前ハウジング、２３…後ハウジング、２４…シャッタ釦操作スイッチ、２５…モードダイヤル操作ノブ、２６…操作部、２６ａ…ＯＫ釦、２６ｂ、２６ｃ、２６ｄ、２６ｅ…十字釦、２８…窓部、３１…撮像素子、３２…カメラ内電子回路、３３…信号処理回路、３４…システム制御回路、３６…操作スイッチ、３７…外部メモリ、３９…バッテリ、４０…収納検知回路。
【図１】
2006194984.tif 000003
【図２】
2006194984.tif 000004
【図３】
2006194984.tif 000005
【図４】
2006194984.tif 000006
【図５】
2006194984.tif 000007
【図６】
2006194984.tif 000008
【図７】
2006194984.tif 000009
【図８】
2006194984.tif 000010
【図９】
2006194984.tif 000011
【図１０】
2006194984.tif 000012
【図１１】
2006194984.tif 000013
【図１２】
2006194984.tif 000014
【図１３】
2006194984.tif 000015
【図１４】
2006194984.tif 000016
【図１５】
2006194984.tif 000017
【図１６】
2006194984.tif 000018